(57)【要約】【課題】  特定の期間に関係付けられたメディアファイルの量のトポグラフィック表示又はビューを提供するデジタル通信装置の様な電子装置に実装されるメディアダイアリー・アプリケーションを提供する。【解決手段】  トポグラフィックビューは、選択されたメディアファイル特性に基づいて、異なるメディアファイルを区別する能力を提供する。トポグラフィック表示では、メディアファイルの量がグラフィック表示され、通常は線グラフ又は棒グラフ式の表示で表される。この様に、メディアダイアリー・アプリケーションのトポグラフィックビューは、ダイアリーのユーザーに、メディアファイルを見つけ出し、時間長に関連付けてメディアファイルの量を評価する効率的な手段を提供する。【選択図】          図１
2005149520.tif 000002
【特許請求の範囲】
【請求項１】
コンピュータ読取可能プログラムのインストラクションを具現化したコンピュータ読取可能記憶媒体を備えている、デジタル装置上のメディアファイルにアクセスを提供するためのアプリケーションにおいて、前記コンピュータ読取可能プログラムのインストラクションは、
時間を時間単位に区分けするメディアビューを生成するための第１インストラクションと、
前記メディアビュー内に表示された前記時間単位に関連付けてメディアファイル量をグラフィック表示するトポグラフィックビューを生成するための第２インストラクションと、を備えていることを特徴とするアプリケーション。
【請求項２】
前記メディアビュー内に表示された前記時間単位に関連付けてメディアファイル量をグラフィック表示するトポグラフィックビューを生成するための前記第２インストラクションは、更に、メディアファイル量をメディアファイルの個数として定義することを特徴とする、請求項１に記載のアプリケーション。
【請求項３】
前記メディアビュー内に表示された前記時間単位に関連付けてメディアファイル量をグラフィック表示するトポグラフィックビューを生成するための前記第２インストラクションは、更に、メディアファイル量をメディアファイルの記憶ボリュームとして定義することを特徴とする、請求項１に記載のアプリケーション。
【請求項４】
前記メディアビュー内に表示された前記時間単位に関連付けてメディアファイル量をグラフィック表示するトポグラフィックビューを生成するための前記第２インストラクションは、更に、選択されたメディアファイル特性のメディアファイル同士をグラフィック的に区別することを特徴とする、請求項１に記載のアプリケーション。
【請求項５】
トポグラフィックビューを生成するための前記第２インストラクションは、選択されたメディアファイル特性のメディアファイル同士をグラフィック的に区別し、前記選択されたファイル特性はメディアファイルの種類であることを特徴とする、請求項４に記載のアプリケーション。
【請求項６】
トポグラフィックビューを生成するための前記第２インストラクションは、選択されたメディアファイル特性のメディアファイル同士をグラフィック的に区別し、前記選択されたメディア特性はメディアファイルメタデータで定義されることを特徴とする、請求項４に記載のアプリケーション。
【請求項７】
選択されたメディアファイル特性のメディアファイル同士をグラフィック的に区別する、トポグラフィックビューを生成するための前記第２インストラクションは、メディアファイルのサイズ、メディアファイルに関連したイベント、メディアファイルの作者、メディアファイルのタイトル、メディアファイルのキーワードから成る群より選択されたメディアファイル特性を更に備えていることを特徴とする、請求項４に記載のアプリケーション。
【請求項８】
時間を時間単位に区分けするメディアビューを生成するための前記第１インストラクションは、分、時間、日、週、月、年、１０年期、及び世紀から成る群より選択された時間単位を更に備えていることを特徴とする、請求項１に記載のアプリケーション。
【請求項９】
トポグラフィックビューを生成するための前記第２インストラクションは、グラフィック表示を、２つ以上のトポグラフィックビュー部分に分割するためのベースライン表示を生成することを更に含んでいることを特徴とする、請求項１に記載のアプリケーション。
【請求項１０】
ベースライン表示を生成することを含んでいる、トポグラフィックビューを生成するための前記第２インストラクションは、選択された区別用のメディアファイル特性に基づいてグラフィック表示を２つ以上のトポグラフィックビュー部分に分割するためのベースライン表示を生成することを更に含んでいることを特徴とする、請求項７に記載のアプリケーション。
【請求項１１】
トポグラフィックビューを生成するための前記第２インストラクションは、メディアファイルの詳細なグラフィック表示を行うためのズーム機構を生成するためのインストラクションを更に含んでいることを特徴とする、請求項１に記載のアプリケーション。
【請求項１２】
ズーム機構を生成するための前記第２インストラクションは、更に、メディアファイルの詳細なグラフィック表示と、前記詳細なグラフィック表示を介してメディアファイルにアクセスする能力とを提供するズーム機構を提供する、請求項１１に記載のアプリケーション。
【請求項１３】
トポグラフィックビューを生成するための前記第２インストラクションは、メディアファイルをプレビューできるようにするフォーカス機構を生成するためのインストラクションを更に含んでいることを特徴とする、請求項１に記載のアプリケーション。
【請求項１４】
トポグラフィックビューを生成するための前記第２インストラクションは、メディアファイルの検索の結果を含んでいるトポグラフィックビュー内の領域を識別するためのレンズを生成するためのインストラクションを更に含んでいる、請求項１に記載のアプリケーション。
【請求項１５】
トポグラフィックビューを生成するための前記第２インストラクションは、トポグラフィックビュー内にユーザーの関心領域を識別する強調表示された領域を生成するためのインストラクションを更に含んでいる、請求項１に記載のアプリケーション。
【請求項１６】
デジタル装置において、
メディアファイルにアクセスするためのコンピュータ読取可能プログラムのインストラクションを実行する処理ユニットであって、前記コンピュータ読取可能プログラムのインストラクションは、
時間を時間単位に区分けするメディアビューを生成するための第１インストラクションと、
前記メディアビュー内に示された時間単位に関連付けてメディアファイル量をグラフィック表示するトポグラフィックビューを生成するための第２インストラクションと、を備えているように構成されている処理ユニットと、
タイムバーとトポグラフィックビューを組み合わせたビューを表示する、処理ユニットと通信する表示装置と、を備えていることを特徴とするデジタル装置。
【請求項１７】
メディアファイルにアクセスするためのコンピュータ読取可能プログラムのインストラクションを実行する処理ユニットにおいて、前記コンピュータ読取可能プログラムのインストラクションは、前記メディアビュー内に表示された時間単位に関連付けてメディアファイル量をグラフィック表示し、選択されたメディアファイル特性のメディアファイル同士をグラフィック的に区別する、トポグラフィックビューを生成するための第２インストラクションを備えていることを特徴とする、請求項１６に記載のデジタル装置。
【請求項１８】
メディアダイアリーのトポグラフィックビュー内でズーム機能を提供するための方法において、
第１トポグラフィックビュー内のグラフィック表示の一部を選択する段階と、
前記グラフィック表示の選択された部分をアクティブにする段階と、
前記第１トポグラフィックビューのグラフィック表示の選択された部分を更に詳細に表示する詳細な第２トポグラフィックビューを表示する段階と、から成ることを特徴とする方法。
【請求項１９】
前記第１トポグラフィックビューのグラフィック表示の選択された部分を更に詳細に表示する詳細な第２トポグラフィックビューを表示する前記段階は、前記第１トポグラフィックビューの選択された部分に関係付けられたメディアファイルの詳細な表示を提供する段階を更に含んでいることを特徴とする、請求項１８に記載の方法。
【請求項２０】
前記第１トポグラフィックビューの選択された部分に関係付けられたメディアファイルの詳細な表示を提供する前記段階は、メディアファイルにアクセスするためにメディアファイルの詳細な表示をアクティブにする段階を更に含んでいることを特徴とする、請求項１９に記載の方法。
【請求項２１】
グラフィック表示の選択された部分をアクティブにする前に、ズームスケールを選択する段階を更に備えていることを特徴とする、請求項２０に記載の方法。
【請求項２２】
メディアダイアリーのトポグラフィックビュー内のメディアファイルを検索する方法において、
時間長と時間単位を、前記時間単位と関係付けてメディアダイアリーのメディアファイルをグラフィック表示する第１トポグラフィックビューと共に定義するメディアビューを提供する段階と、
メディアファイルメタデータの少なくとも１つの項目を含んでいる検索問い合わせを定義する段階と、
検索されたメディアファイルメタデータを有するメディアファイルを含んでいるトポグラフィックビューの領域に重ね置かれる幾何学的識別子をトポグラフィックビュー内に提供する段階と、から成ることを特徴とする方法。
【請求項２３】
前記検索されたメディアファイルメタデータを有する１つ又はそれ以上のメディアファイルにアクセスを提供するために、前記幾何学的識別子をアクティブにする段階を更に含んでいることを特徴とする、請求項２２に記載の方法。
【請求項２４】
関心対象の検索されたメディアファイルを有するメディアファイルにアクセスを提供するために幾何学的識別子をアクティブにする前記段階は、メディアファイルメタデータを有する１つ又はそれ以上のメディアファイルにアクセスを提供する領域の詳細なトポグラフィックビューを提供するため前記幾何学的識別子をアクティブにする段階を更に含んでいることを特徴とする、請求項２３に記載の方法。
【発明の詳細な説明】
【技術分野】
【０００１】
本発明は、メディアファイルの電子記憶装置に関し、より厳密には、特定の時間長に関係するメディア項目の量のトポグラフィク表示を提供するメディアダイアリー・アプリケーションに関する。
【背景技術】
【０００２】
デジタル通信の急速な成長によって、様々な型式の無線及び配線式通信装置の間であらゆる種類のデジタルメディア項目の通信が可能になった。例えば、セルラー又は移動電話は、もはや電話音声通信だけに限定されず、デジタルネットワーク機能（即ち、インターネット通信、テキストメッセージ配信など）のような他のデジタル通信の手段も包含するようになっている。更には、益々多くのセルラー電話やその他の移動無線通信装置、例えば携帯用コンピュータ、携帯用情報端末（ＰＤＡ）などが、デジタルカメラ、デジタルオーディオレコーダ、デジタルビデオレコーダのような、他の捕捉又は生成用デジタルメディアの手段と一体化されつつある。技術的進歩により、デジタルカメラ、デジタルビデオレコーダ、デジタルオーディオ装置など、他のデジタル装置に、デジタル通信用の手段を装備できるようになった。互いにデジタル通信できる能力を有するデジタル装置が増えるほど、それらの装置の間でやり取りされるデジタルメディア項目の量が驚異的な速度で増加することになる。
【０００３】
益々多くのデジタル装置がデジタル通信能力を持ち始めることに加えて、それらの装置のデジタル記憶容量は絶えず増え続ける。近い将来、大多数の移動デジタル通信端末がギガバイト以上の記憶容量を備えることになるかもしれず、そうするとそれらの装置は膨大な量のデジタルデータを記憶できるようになる。この様な環境では、メモリ容量の観点からは、ビデオ、オーディオ、又は他のマルチメディアファイルなど、膨大な量の大型ファイルタイプを記憶することがもはや抑制ではなくなる。
【０００４】
無線式配線式を問わず益々多くのデジタル装置がデジタル通信用の手段を備え、且つそれらの装置の記憶容量が一見したところ果てしない状況になっているデジタル通信環境では、デジタル通信装置は無数のデジタルメディアファイルに行き当たり記憶することになる。そこで、デジタル通信装置では、効率的且つユーザーフレンドリーな環境でそれらデジタルファイルにアクセスし、記憶し、管理し、更には通信する手段が必要とされることになる。
【０００５】
例えば、デジタル通信装置がデジタルファイルを受け取った場合、当該ファイルに容易にアクセスできる記憶領域に自動的に置き、ユーザーがメディアファイルを探すのに膨大な時間を費すことなしに、将来的なファイルの管理とアクセスが効率的に行われるというアプリケーションがあれば、装置のユーザーは多大な恩恵に浴することになろう。
【０００６】
デスクトップ又はラップトップのコンピュータ、携帯用情報端末（ＰＤＡ）などの、殆どのデジタル通信装置は、デイリープランナー・アプリケーションが装備されているか、又はユーザーが手を加えてそれを実装できるかの何れかになっている。デイリープランナーがあれば、ユーザーは、デジタルカレンダーのイベントリマインダに入力することにより、これからのイベントのスケジュールを調整し管理することができる。デジタルプランナーは、近付きつつあるイベントが保留になっているときには、警告か、見えるか又は聞こえるメッセージとしてユーザー電子リマインダを送るという独自の有益性を提供する。デジタル・プランナーは、ビジネスマンに広く支持されるツールであることが証明されており、多くの事例において、従来のハードコピー又は紙のデイリープランナーの必要性にとって代わっている。
【０００７】
殆どのデジタルメディアファイルは、カレンダーの日付に従って容易に分類及び記憶される。例えば、ウェディングビデオは、結婚式の日付に従って分類され、パーティで撮影された写真はパーティの日付に従って分類される。上記は、メディアファイルの作成日に基づいてメディアファイルを分類する場合の例である。別の場合では、メディアファイルを、メディアファイルが使用されたか又は提示された日付、又は受信者がファイルを受信した日付に関連付けることもできる。例えば、ビジネス会議用のマルチメディアプレゼンテーションは、プレゼンテーションの日付に従って分類され、友人からの個人的なテキストファイルは、受信日によって分類してもよい。
【０００８】
いずれ、大容量メモリを備えたデジタル装置が膨大な量のメディアファイルを入手し記憶する能力を持つことになる。これは、まさしく、デジタル方式で通信する能力を保有するデジタル装置が益々増えてくる躍進的なデジタル通信時代に入ることからも頷ける。例えば、将来的に、デジタルカメラ付き移動電話のような多くの且つ多機能のデジタル装置が普及し、従来のデジタルカメラ、デジタルビデオレコーダ等がデジタル方式で通信する能力を持つようになると、これらの装置はデジタルメディアファイルで溢れかえることになる。それらの装置、並びにメディア保存のできるその他全てのデジタル装置のユーザーは、デジタルメディアファイルを記憶し管理するアプリケーションを求めるようになる。そのようなアプリケーションにとって重要な属性は、ユーザー効率であり、それは、ユーザーがメディアファイルを効率的に見つけることができなければならないからである。このタスクは、デジタル装置が入手するメディアファイルの数が多くなるにつれ、益々複雑になる。
【０００９】
携帯式デジタル通信装置に対する別の関心事として、そのような装置の表示装置は通常は大きさが小さく、表示装置に実装されるアプリケーションは、当該アプリケーションの機能にユーザーがアクセスし易くなるフォーマットで圧縮及び提示できなければならないということである。携帯式タッチスクリーン表示装置のユーザーには、キーストロークでテキストを入力して検索するのではなく、スクローリングなどのタッチ機能を介して探すほうが、通常は簡単で効率的である。従って、携帯式デジタル通信装置上でデジタルメディアファイルを管理するアプリケーションは、そのような装置の通常は小型の表示装置に順応し、管理アプリケーションでデジタルファイルを見つけ出す効率的な手段を提供せねばならない。
【００１０】
従って、大量のメディアファイルの記憶装置と、特定のメディアファイルを即座に見つけ出せるという意味でのユーザー効率性とを提供できる、デジタル装置用のメディアファイル記憶及び管理アプリケーションの開発が必要とされている。このメディアファイル記憶及び管理アプリケーションは、日、週等のような期間に従ってメディアファイルを関連付け編制できなければならない。この様に、メディア管理アプリケーションは、メディアファイルを効率的に見つけ出すために、その期間を通して容易にナビゲーションするためのシステムをユーザーに提供できなければならない。
【００１１】
【特許文献１】米国特許出願第１０／７１５，１８７号
【発明の開示】
【課題を解決するための手段】
【００１２】
本発明は、デジタル通信装置のような電子装置に実装されるメディアダイアリー・アプリケーションを提供する。メディアダイアリー・アプリケーションは、特定の期間に関係付けられたメディアファイルの量のトポグラフィック表示又はビューを提供する。更に、トポグラフィックビューは、選択されたメディアファイル特性に基づいて様々なメディアファイルを見分ける能力を提供する。代表的には、選択される特性には、イメージファイル、ビデオファイル、オーディオファイル、テキストファイルなどの、ファイルの種類がある。更に、他のメディアフィイル特性を、トポグラフィックビューでグラフィック的に見分けることもできる。選択される特性は、ダイアリー・アプリケーションの構成によって指示してもよいし、又は選択される特性を、ダイアリーのユーザーが定義してもよい。トポグラフィック表示では、メディアファイルの量が、グラフィック的に、つまり代表的には線グラフや棒グラフ式表示で表現される。メディアファイルの量は、メディアファイルの個数又はメディアファイルの記憶ボリュームで定義される。この様に、メディアダイアリー・アプリケーションのトポグラフィックビューは、ダイアリーのユーザーに、メディアファイルを見つけ出し、時間長に関連してメディアファイルの量を評価する、効率的な手段を提供する。
【００１３】
本発明の第１の実施形態では、デジタル装置のメディアファイルにアクセスを提供するアプリケーションを定義する。当該アプリケーションは、コンピュータ読取可能プログラムのインストラクションが具現化されたコンピュータ読取可能記憶媒体を含んでいる。コンピュータ読取可能プログラムのインストラクションは、時間を時間単位に区分けするメディアビューを生成するための第１インストラクションと、メディアビューに提示される時間単位に関連するメディアファイル量をグラフィック表示するトポグラフィックビューを生成するための第２インストラクションを含んでいる。メディアビューは、期間と時間単位を、メディアダイアリーの構成又はユーザーの選択の何れかに基づいて定義する。期間と時間単位は、年、月、週、日付、時間、分など、あらゆる期間又は単位から選択することができる。期間と時間単位は、通常、関係付けられたトポグラフィックメディアビューにグラフィック表示されることになるメディアファイルの量に基づいて最適化される。
【００１４】
トポグラフィックビューは、通常、選択されたメディアファイル特性に基づいて、メディアファイル同士をグラフィック的に区別する。選択されるメディアファイル特性は、メディアダイアリー構成で決めてもよいし、或いはダイアリーユーザーが選択されるメディアファイル特性を特定してもよい。或る好適な実施形態では、選択されるメディアファイル特性は、イメージファイル、ビデオファイル、オーディオファイル、テキストファイル等の様なメディアファイルの種類である。更に、メディアファイルのサイズ、メディアファイルに関係するイベント、メディアファイルの作者、メディアファイルのタイトル、メディアファイルのキーワードの様な、他のメディアファイル特性を、トポグラフィックビュー内でのグラフィック的区別用特性として使うこともできる。
【００１５】
トポグラフィックビューは、グラフィック表示を２つ以上のトポグラフィックビュー部分に分割するためのベースライン表示を更に含んでいてもよい。通常、ベースライン表示は、トポグラフィックビューを上側部分と下側部分の様な２つの部分に分割する分割線である。ベースライン表示は、選択された区別メディアファイル特性に基づいてトポグラフィックビューとして提供されるグラフィック表示を分割する能力を提供する。例えば、オーディオビジュアルファイルの様な或る種のメディアファイルを上側ビュー部分にグラフィック表示し、テキストファイルの様な別の種類のメディアファイルを下側ビュー部分にグラフィック表示してもよい。
【００１６】
トポグラフィックビューは、メディアファイルの詳細なグラフィック表示を提供するズーム機構を更に含んでいてもよい。ズーム機構を使えば、ユーザーは、メディアファイルのより詳細なトポグラフィック表示を見ることができる。例えば、標準的なトポグラフィックビューでは、メディアファイルは線グラフで表示され、ズームインされた詳細なビューでは、メディアファイルは棒グラフフォーマットのアイコンで個々に表示される。通常、より詳細なビューは、より短い時間長及び時間長内のより短い時間単位を表示することになる。更に、詳細ビューでは、メディアファイル表示が、標準ビューよりもはっきりと詳しく描写されるようになる。ズーム機構は、更に、メディアファイルに、その詳細なグラフィック表示を通してアクセスできるようにする。
【００１７】
トポグラフィックビューは、グラフィック表示の付近でカーソルを移動させることによって、メディアファイルのグラフィック表示をプレビューし及び／又はそれにアクセスできるようにするフォーカス機構を更に含んでいてもよい。一例として、メディアファイルの線グラフ表示上でカーソルを動かすと、フォーカス機構は、線グラフの当該部分に関係付けられたメディアファイルに関する詳細を表示して、ユーザーが表示された詳細をアクティブにすることによりメディアファイルへアクセスできるようにする。
【００１８】
トポグラフィックビューは、ユーザーが行った検索に応答するメディアファイルを含んでいるビュー内の領域を識別するための、レンズの形態をした幾何学的識別子を更に含んでいてもよい。本発明のメディアダイアリーは、各個別メディアファイルに関係付けられたメタデータ情報の検索可能なデータベースを有している。ユーザーは、キーワード検索又はフィルタリング式検索を行って、関心のメディアファイルを見つけ出すことができる。トポグラフィックビューは、検索された単数又は複数のファイルが存在するビューの領域上にレンズを置くことにより、その検索の結果を表示する。レンズは、異なる検索結果を識別するため、又は識別領域内の検索されたファイルの量を表示するために、フォーマットを変更してもよい。
【００１９】
トポグラフィックビューは、ユーザーの関心領域を識別するために、トポグラフィックビュー内の期間の強調表示を行う強調表示機能を更に含んでいてもよい。例えば、ダイアリーのユーザーが、ユーザーの生活上の特定のイベントに関係する時間長を識別したいと望む場合には、ユーザーは当該時間長を強調表示して当該領域を際立たせ、ユーザーがトポグラフィックビュー・モード内をブラウジングする際に当該時間長を見つけ易くすることもできる。
【００２０】
本発明の別の実施形態は、メディアファイルにアクセスするためのコンピュータ読取可能プログラムのインストラクションを実行する処理ユニットを有するデジタル装置によって定義される。コンピュータ読取可能プログラムのインストラクションは、時間を時間単位に区分けするメディアビューを生成するための第１インストラクションと、メディアビューに提示される時間単位に関連するメディアファイル量をグラフィック表示するトポグラフィックビューを生成するための第２インストラクションを含んでいる。更に、デジタル装置は、タイムバーとトポグラフィックビューを介するメディアファイルへのユーザーアクセスを提示する処理ユニットと交信する表示装置を含んでいる。
【００２１】
本発明は、更に、メディアダイアリー・アプリケーションのトポグラフィックビューを提供する方法によって定義されており、同方法は、時間長と当該時間長内の時間単位を定義する段階と、定義された時間単位に関係付けられたメディアダイアリー・アプリケーション内のメディアファイルの量を求める段階と、タイムバー内の時間単位に関係付けられたメディアダイアリー・アプリケーション内のメディアファイルの量をグラフィック表示するトポグラフィックビューを提供する段階を含んでいる。本方法は、メディアファイル特性を定義する段階と、メディアファイル特性を含んでいるメディアファイルの量を求める段階と、定義された時間単位に関係付けられた特性を有するメディアファイルの量を求める段階と、タイムバー表示に結び付けてトポグラフィックビューを提供する段階を、更に含んでいる。トポグラフィックビューは、タイムバー内の時間単位に関係付けられたメディアファイル特性により、メディアファイルの量をグラフィック表示する。
【００２２】
更に別の実施形態では、本発明は、メディアダイアリーのトポグラフィックビュー内でズーム機能を提供するための方法により定義される。本方法は、第１トポグラフィックビュー内のグラフィック表示の一部を選択する段階と、随意的に、ズーミングのスケールを選択する段階と、グラフィック表示の選択された部分をアクティブにする段階と、第１トポグラフィックビューのグラフィック表示の選択された部分を表示する詳細な第２トポグラフィックビューを表示する段階を含んでいる。本方法は、第１トポグラフィックビューの選択された部分に関係付けられたメディアファイルの詳細な表示を提供する段階と、メディアファイルにアクセスするためにメディアファイルの詳細な表示をアクティブにする段階を、更に含んでいてもよい。
【００２３】
この様に、本発明のメディアダイアリー・アプリケーションは、特定の期間に関係付けられたメディアファイルの量のトポグラフィック表示又はビューを提供する。更に、このトポグラフィックビューは、選択されたメディアファイル特性に基づいてそれぞれのメディアファイルを区別する能力を提供する。トポグラフィック表示では、メディアファイルの量がグラフィック表示され、通常は線グラフ又は棒グラフ型の提示形式で表現される。この様に、メディアダイアリー・アプリケーションのトポグラフィックビューは、ダイアリーのユーザーに、メディアファイルを見つけ出し、時間長に関連してメディアファイルの量を評価する、効率的な手段を提供する。
【発明を実施するための最良の形態】
【００２４】
以上、本発明について概括的に説明してきたが、これより添付図面を参照してゆく。なお、図面は必ずしも縮尺が合ってはいない。
【００２５】
これより、添付図面を参照しながら本発明を詳しく説明してゆくが、図面は本発明の全ての実施形態を示しているのではなく、その幾つかを示しているだけである。実際に、本発明は多種多様な形態で実施することができ、ここに述べる実施形態に限定されるものではなく、実施形態は、本開示が、適用される法的要件を満たすように提供されている。各図面を通して、類似番号は類似要素を示している。
【００２６】
本発明は、デジタル通信装置の様な電子装置に実装されるメディアダイアリー・アプリケーションを提供する。メディアダイアリー・アプリケーションは、特定の期間に関係付けられたメディアファイルの量のトポグラフィック表示又はビューを提供する。更に、トポグラフィックビューは、選択されたメディアファイル特性に基づいて、異なるメディアファイルを区別する能力を提供する。代表的には、選択される特性は、イメージファイル、ビデオファイル、オーディオファイル、テキストファイル等の様なメディアファイルの種類である。更に、他のメディアファイル特性も、トポグラフィックビュー内でグラフィック的に区別される。トポグラフィック表示では、メディアファイルの量及び／又は密度はグラフィック的に表され、通常は、線グラフ、包絡線、積層領域、又はグラフ型式の表示で表される。メディアファイルの数量は、メディアファイルの個数又はメディアファイルの記憶ボリュームで定義される。この様に、メディアダイアリー・アプリケーションのトポグラフィックビューは、ダイアリーのユーザーに、メディアファイルを見つけ出し、時間長に関連してメディアファイルの量を評価する効率的手段を提供する。
【００２７】
アプリケーションの指示に従ってユーザーがトポグラフィックビューを構成できるように、トポグラフィックビューは適合性を備えている。例えば、ユーザーは、年、月、週等の様な、トポグラフィックビューの包含する範囲となる時間長を定義することができる。更に、ユーザーは、トポグラフィックビューに表示されるメディアファイルの種類と、メディアファイルをトポグラフィックビューに表示するやり方とを定義することができる。
【００２８】
更に、トポグラフィックビューは、ユーザーにメディアダイアリー内のファイルを効率的に評価し及び／又はそれらにアクセスするツールを提供する。メディアファイルのグラフィック表示は、グラフ内のメディアファイルを隔離するか、又は時間長の一部のビューにアクセスするする目的で、フォーカス及びズーム機能を提供し、例えば年単位の時間長から月単位の時間長にズームするか、又は月単位の時間長から週単位の時間長にズームできるようにする。フォーカス機能は、トポグラフィックビューの或る区分又は領域上にカーソルを配置すると、トポグラフィックビューの当該部分に関係付けられたメディアファイルの詳細な表示が表示されるようにする。メディアダイアリーのユーザーは、所望のメディアファイルに一旦ズームイン又はフォーカスインすると、マウス式起動又は指定されたキーストロークによってメディアファイルにアクセスできるようになる。
【００２９】
トポグラフィックビューは、更に、メディアダイアリーのユーザーに、所望のメディアファイルが存在するビューの時間長内の領域を隔離する能力を提供する。これに関して、メディアダイアリー・アプリケーションは、ダイアリー内の各メディアファイルに関連した一意的なメタデータ情報に基づいて、メディアファイルを検索するようにする。この検索は、メタデータデータベースからのキーワード検索の形態でもよいし、メディアファイルデータベースを、メディアの種類、ファイルサイズ等の様なファイル特性でフィルタリングする形態でもよい。トポグラフィックビューでは、上記検索の結果は、トポグラフィックビューの領域上に表示される幾何学的アイコンとして提示され、ここではこのアイコンはレンズとなっているが、トポグラフィックビュー内に検索結果をグラフィック表示できるその他の手段を実装してもよい。レンズの大きさと形状、又は検索結果を描くその他の幾何学的識別子は変えてもよい。
【００３０】
本発明のメディアダイアリー・アプリケーションは、デスクトップ又は携帯用のコンピュータ、セルラー電話、携帯用情報端末（ＰＤＡ）、デジタルカメラ、デジタルカムコーダー、Ｅブック装置、テレビ、デジタルオーディオプレーヤー等の様な、表示装置を組み込んだあらゆる電子装置に実装し実行することができる。更に、メディアダイアリー・アプリケーションは、セットトップボックス（ＳＴＢ）、パーソナルビデオレコーダ（ＰＶＲ）、デジタルビデオレコーダ（ＤＶＲ）等の様な外部表示装置に接続された電子装置に実装することもできる。殆どの場合、メディアダイアリー・アプリケーションを実行するデジタル装置は、無線テレコム、短距離無線ネットワーク、ブルートゥース、無線ローカルエリアネットワーク（ＷＬＡＮ）、無線周波数識別装置（ＲＦＩＤ）、インターネットプロトコル・データキャスティング（ＩＰＤＣ）、デジタルビデオ同報通信（ＤＶＢ）、赤外線データアソシエーション（ＩｎＤａ）、インターネット等の様な、何らかの型式の無線又は配線式ネットワーク通信を行うことができるが、デジタル装置がネットワークを介して通信できるようになっている必要があるわけではない。デジタルメディアファイルを内部的に求めることができる機器、又はメモリ装置（例えば、フラッシュ記憶装置、メモリスティック、ビデオ及びオーディオ記憶テープ、ＣＤ、ＤＶＤ、取り外し可能ハードディスク装置（ＨＤＤ）等）を介してメディアファイルにアクセスできる装置も利用可能である。
【００３１】
本発明の或る実施形態によれば、メディアダイアリー・アプリケーションは、コンピュータ読取可能プログラムのインストラクションが媒体に記憶されているコンピュータ読取可能記憶媒体により具現化されることになる。記憶媒体は、代表的にはフラッシュＲＯＭメモリ、ＨＤＤ等の様なメモリ装置である。プログラミングインストラクションは、Ｃ＋＋、Java等の様な標準的なコンピュータプログラム用言語で書かれる。後に述べるように処理ユニットで実行されると、プログラムのインストラクションは、下に説明するメディアダイアリー・アプリケーションの様々な機能を実施する。コンピュータ読取可能プログラムのインストラクションは、メディアダイアリービューに表示されるタイムバーを生成し、期間を時間単位に区分けする第１インストラクションを含んでいる。コンピュータ読取可能プログラムのインストラクションは、更に、時間単位に関連させたメディアファイルの量をグラフィック表示するトポグラフィックビューを生成する第２インストラクションも含んでいる。トポグラフィックビューは、メディアファイルの種類、メディアファイルのサイズ、関係するメディアファイルイベント等の様な、選択された特性のメディアファイル同士をグラフィック的に区別することも行う。第１及び第２インストラクションは、互いに連絡するモジュール、オブジェクト等でもよいが、第１、第２、及び第３インストラクションは、プログラムのインストラクションの個別の又は分離可能な部分である必要はなく、必要に応じて全体に散らばっていてもよい。
【００３２】
図１は、メディアダイアリー・アプリケーションの標準的なメディアビュー１００の一例を示す。メディアダイアリーの標準メディアビューは、ここでは、本発明のトポグラフィックビューの詳細な説明に対する前駆体として説明する。メディアビューは、デジタルイメージ、デジタルビデオ、デジタルオーディオ、コンピュータゲーム、コンピュータソフトウェア、デジタルテキストファイル等の様なデジタルメディアファイルに、メディアダイアリーのユーザーがアクセスできるようにする。通常、メディアビューに表示されるメディアファイルは、過去のカレンダーイベント又は過去のリマインダに関係付けられる。代わりに、メディアビューに表示されるメディアファイルは、予めカレンダービュー又はアプリケーションのメディアファイルに関係するイベントに留意することなく、メディアファイル内のタイムスタンプに基づく時点又は期間に関係付けてもよい。まお、ここで図示し説明したメディアビューは一例に過ぎず、時点又は期間に関係付けられたメディアファイルの表示を提供する他のメディアビューも考えられる。メディアビューの更に詳しい説明、及びメディアダイアリー・アプリケーションの他の様相については、発明者Myka他の名で２００３年１１月１７日に出願され、本発明と同じ譲受人に譲渡された同時係属米国特許出願第１０／７１５、１８７号「デジタル装置で使用するためのメディアダイアリー・アプリケーション」を参照されたい。上記出願の全内容を、参考文献としてここに援用する。
【００３３】
図示の実施形態のメディアビューは、特定の期間、本例では特定の日、に対応する期間列１１０を含んでいる。図示の例では、以前の４日に対応するビュー内に４日分の列が見える。代わりの実施形態では、メディアビューは、１年、１月、１週、１日、１時間等の様なあらゆる期間に対応する期間列１１０を含んでいる。更に、期間列は、業界の会議、休日等の様なイベントに関係付けることもできる。期間列は、その列の期間又はイベントに関係付けられたメディアファイル表示１２０を含んでいる。例えば、メディアファイル表示は、ユーザーに、ビデオファイル、イメージファイル、オーディオファイル、テキストファイル、Ｅメール、ショートメッセージサービス（ＳＭＳ）メッセージ、マルチメディアメッセージサービス（ＭＭＳ）メッセージ等の様なデジタルファイルへのアクセスを提供し、ユーザーにファイルのコンテンツに関する情報を提供する表示を含んでいる。メディアファイル表示としては、アイコン、サムネイルイメージ、テキスト文書やメッセージのテキストの一部、又はその他あらゆる適したメディアファイル表示を挙げることができるが、これら表示はメディアファイルのタイトルがあってもなくてもよい。
【００３４】
通常、メディアダイアリーは、装置に付帯するデジタル記録機能から、又はデジタル通信を介して他の装置から、メディアファイルを受け取る。例えば、
１）デジタル装置が、デジタルカメラ又はデジタル式記録装置として機能する何らかの他のデジタル装置を組み込んだセルラー電話である場合には、デジタルメディアファイル（即ち、イメージ）は、セルラー電話アクセスを介して、カメラ／電話装置から別の装置のメディアダイアリーへ直接送ることができる。
２）デジタル装置が、独立したデジタルカメラ又は何らかの他のデジタル記録／記憶／再生装置であり、無線又は配線式ネットワーク接続を備えている場合には、デジタルメディアファイルは、ネットワーク接続された装置から別の装置のメディアダイアリーに直接送ることができる。
３）デジタル装置が、独立したデジタルカメラ又は何らかの他のデジタル記録／記憶／再生装置であり、近距離デジタル通信手段を備えている場合には、デジタルメディアファイルは、最初に長距離デジタル通信装置（即ち、セルラー電話、ＰＤＡ、ラップトップ等）に送られ、次いで長距離デジタル通信装置が、当該ファイルを、メディアダイアリーを備えた別の装置に送る。代わりに、近接していれば、メディアダイアリーを備えた別の装置に直接ファイル転送してもよい。
４）メディアファイルは、物理的メモリユニット／装置で通信して、ある装置から別の装置に転送することもできる。
【００３５】
この様に、メディアファイルを送る側（即ち、引渡し側）のデジタル記録／記憶／再生装置は、メディアダイアリー・アプリケーションを備え、実行してもよいし、又メディアダイアリー・アプリケーションを備えていなくてもよい。引渡し側の装置が、メディアダイアリー・アプリケーションを備えている場合には、メディアファイルは、他の装置へ送る前に、関係するメタデータの生成を含め、メディアダイアリーの目的に合わせて処理してもよい。
【００３６】
メディアファイルの通信／同期化は、新しいメディアファイルを１つ作成した後、又は或る量のメディアファイルを作成した後で自動的に行うことができる。代わりに、選択された時点で、又はユーザーの要求に応じて通信を行ってもよく、また通信は、１つのメディアファイルを含んでいても、メディアファイルの群を含んでいてもよい。通信／同期化は、例えば、ＳＭＳ、ＭＭＳ、又はファイル転送を介するなどして、無線又は配線式ネットワーク通信法を介して行ってもよい。通信、即ち同期化は、バックエンド・メディアダイアリー・アプリケーション／装置から、メディアダイアリー・アプリケーションの有無に関わらずどの様な記録／記憶／再生装置に行ってもよい。
【００３７】
メディアファイルは、通常は、付帯メタデータを、タイムスタンプ、イベント名、ファイル名、位置情報、イベント又はメディアファイル内の人々、メディアファイルのオブジェクト、ファイルの種類、ファイルのサイズ等の形態で保有している。メディアファイルメタデータは、メディアファイルの作成時にデジタル記録装置が自動的に入力してもよいし、メディアファイルの作成時などに手動で入力してもよい。
【００３８】
更に、メタデータは、メディアダイアリーのカレンダー・アプリケーション内の、又は補助的カレンダー・アプリケーション／パーソナルプランナー・アプリケーション内のカレンダーイベントに関連付けて、予め存在させておくこともできる。メディアダイアリーがメディアファイルを受け取ると、メディアファイルメタデータがカレンダーイベントメタデータ情報に組み合わされ及び／又は相関付けられる。組み合わされた及び／又は相関付けられたメタデータ情報は、メディアダイアリー内のメディアファイルに関係付けられて記憶され、ユーザーがメディアビューのメディアファイル表示を介してメディアファイルにアクセスすると、ユーザーには組み合わされたメタデータとカレンダーイベント情報が提示されるようになる。例えば、図１のメディアファイル表示１２０を参照すると、サムネイルイメージがタイトル及びテキスト入力と組み合わされている。
【００３９】
更に、図１のメディアビューは、タイムハンドル２００を組み込んでいる。タイムハンドルを使えば、メディアビューを適宜前後にスクロールすることができる。タイムハンドルは、静止位置に描かれており、通常は中心線の位置にある。タイムハンドルを静止位置から左に動かすと、メディアビューは右にスクロールし、メディアビュー内のもっと過去の日がスクロールされて表示されることになる。タイムハンドルを静止位置から右に動かすと、メディアビューは左にスクロールし、メディアビュー内のもっと将来の日がスクロールされて表示されることになる。静止位置は、普通は、メディアダイアリー表示装置の中心線に、又はタイムバーの中心線に、或いは代わりに、メディアビューの中心線にあってもよい。
【００４０】
図２から４は、本発明の或る実施形態による、メディアダイアリー・アプリケーションの代表的なトポグラフィックビューの図である。図２は、時間長が月単位で表されたトポグラフィックビュー３００を示している。図２の実施形態のメディアビューは、時間単位３１０をここでは月として識別し、ビュー内に１月から８月の月が見られる。メディアダイアリーのユーザーは、メディアビュー内に所望の時間単位のトポグラフィックビューが出てくるように構成することができる。例えば、ユーザーがメディアファイルの量に関連する情報を長い時間長で観察したい場合、メディアビューは、時間単位を年単位、１０年単位、又は世紀単位等と定義してもよい。しかしながら、ユーザーがメディアファイルの量に関連する情報を短い時間長で観察したい場合は、メディアビューは、時間単位を週、日、又は分等と定義してもよい。メディアビュー内の時間単位の幅は、同じに固定してもよいし、或る時間単位から別の時間単位に変えてもよい。
【００４１】
静止位置にある状態で描かれ４月２５日火曜日という中心線の日付を強調表示しているタイムハンドル２００は、左右に動かすと、メディアビューと、付帯するトポグラフィックビューをスクロールすることができる。図示の実施形態では、タイムハンドルを右に動かすと、タイムバーとトポグラフィックビューは左に移動し、８月の後に来る月々とそれらの月に付帯するメディアファイルが露出する。タイムハンドルを左に動かすと、タイムバーとトポグラフィックビューは右に移動し、１月の前にある月々とそれらの月に付帯するメディアファイルが露出する。
【００４２】
図２のトポグラフィックビューは、期間に対して特定のメディアファイル特性を有するメディアファイルの量を示す線グラフ３２０を組み込んでいる。各固有の線グラフは、メディアファイルの種類、メディアファイルのサイズ、又はその他区別するためのファイル特性の様な、関係付けられたメタデータファイルに記憶されている特定のメディアファイル特性に関係付けられている。メディアダイアリーのユーザーは、ユーザーに関心のあるメディアファイルだけがビューに表示されるように、トポグラフィックビューを構成することができる。この様に、ユーザーは、ビューに表示される線グラフの量、並びにビューにより分析されるメディアファイル特性を指示することができる。例えば、太字実線３２０Ａはイメージファイルの量をグラフィック表示し、２点鎖線３２０Ｂはビデオファイルの量をグラフィック表示し、太字点線３２０Ｃはオーディオファイルの量をグラフィック表示する等となっている。
【００４３】
図２のトポグラフィックビューには、トポグラフィックビューを２つの部分に分割するレファレンスフレームを提供する随意的なベースライン３３０も設けられている。このベースラインは或るファイル種類の間で線引きをする。例えば、上の例では、ベースラインより上の線、即ち線３２０Ａ−３２０Ｃは、オーディオビジュアルビデオファイルに関係付けられており、ベースラインより下の線はテキストファイルに関係付けられている。例えば、破線３２０Ｄはテキストメッセージファイルの量をグラフィック表示し、実線３２０Ｅは表計算ファイルの量をグラフィック表示している。ファイル種類の間で線引きすることの他に、ベースラインは、ビュー内に表される線グラフが確実に相互に容易に見分けられるようにする働きもする。線グラフを区別し易くすることができるということは、ズーム及びフォーカス機能にとって基本的なことである。
【００４４】
図２では期間に関係付けられたメディアファイルの量を示すために線グラフを使っているが、トポグラフィックビューは他のグラフィック形式でメディアファイルの量を示すこともできる。例えば、棒グラフを使って、棒グラフに、プレビューイメージ、サムネイルイメージ、又は他のメディアファイルのコンテンツのグラフィックインジケータを入れることもできる。包絡線、積層領域表示、又はその他のグラフィック表示を実施して、期間に関係付けられたメディアファイルの量を示すこともできる。更に、線で分離された領域を、彩色、影付け、又は何らかの他の形態の視認識別子で、視覚的に識別可能とすることもできる。
【００４５】
図３は、ビューの時間長が日で表現されているトポグラフィックビュー３００の代わりの例を示している。図３の実施形態のタイムバー３１０は、時間単位を日として識別しており、ここでは、ビュー内には２月の月内の日が表示されている。先に論じたように、メディアダイアリーのユーザーには、通常、所望の時間単位がタイムバーに表示されるようにトポグラフィックビューを構成する能力が提供される。図３のトポグラフィックビューには、メディアファイルの種類の様な特定のメディアファイル特性に関するメディアファイルの量を、特定の期間に関連付けて示す線グラフ３２０Ａ−３２０Ｅが組み込まれている。描かれているビューでは、トポグラフィックビューを２つの部分に分割するためのレファレンスフレームを提供する随意的なベースライン３３０も示している。
【００４６】
図４は、日付線３５０を組み込んだトポグラフィックビュー３００の例を示している。日付線は、タイムハンドル２００の中央線位置を示し、タイムハンドル内に表示される日／時を表す。更に、日付線は、その特定の日に対する関心事のメディアファイル特性を有するメディアファイルの数を表してもよい。例えば、図示の実施形態では、ファイルの種類の表示３６０Ａ、３６０Ｂ、３６０Ｄ、３６０Ｅは、種類によるメディアファイルの数を表す。ファイルの種類の表示３６０Ａは、実線グラフ３２０Ａに対応する１２個のイメージファイルを表し、ファイルの種類の表示３６０Ｂは、２点鎖線グラフ３２０Ｂに対応する２４個のビデオファイルを表し、ファイルの種類の表示３６０Ｄは、破線グラフ３２０Ｄに対応する２３個のメッセージファイルを表し、ファイルの種類の表示３６０Ｅは、実線グラフ３２０Ｅに対応する３つのテキストファイルを表す。
【００４７】
図２から４の実施形態は、代表的には、トポグラフィックビュー全体に亘って動くカーソルを有し、カーソルが線グラフに出会うと、下にある線グラフに関係付けられたメディアファイルが、通常は別個のポップアップウインドウを介して表示されることにより実施されるズーム機構を備えている。メディアファイルのポップアップウインドウ表示で、特定のメディアファイルを表しているアイコンをアクティブにすることにより、ユーザーは当該メディアファイルへアクセスすることができるが、このアクティブ化には通常はマウス式入力又は付帯するキーパッド上のキーストロークが関わることになる。
【００４８】
図５は、本発明のある実施形態によるトポグラフィックビューにおいて、ユーザーがビューの特定の部分にズームインして、特定の期間とメディアファイルの種類のより詳細なトポグラフィックビューを表示した状態を示している。図５の実施形態は、図２に表示したトポグラフィックビューと概ね同一のトポグラフィックビューを示している。タイムバー３１０は、時間単位を月と定義しており、ここでは、時間長は２月から８月が描かれている。図４のトポグラフィックビューは、メディアファイルの種類の様な特定のメディアファイル特性のメディアファイルの量を期間に関連付けて表す線グラフ３２０Ａ−３２０Ｅを追加的に組み入れている。描かれたビューには、トポグラフィックビューを２つの部分に分割するための、レファレンス枠を提供する随意的なベースライン３３０も示されている。
【００４９】
図５の実施形態では、トポグラフィックビューのユーザーは、関心領域３４０のもっと詳細なトポグラフィックビュー４００を引き出すためにズーム機能をアクティブにしている。図示のように、関心領域は、２月の月という時間長に関する線グラフ３２０Ｂと３２０Ｃを含んでいる。関心領域に対するズーム機能は、選択された領域上をカーソルに通過させ、関心領域をアクティブにすることにより実施され、通常はマウス式入力又はキーストロークで実施される。関心領域をアクティブにすることにより、詳細なトポグラフィックビュー４００が別のウインドウ表示に現れる。
【００５０】
詳細なトポグラフィックビュー４００では、タイムバー４１０は時間長を日単位で定義しており、本例では２月１５日から２月２６日までの１２日の時間長である。詳細なトポグラフィックビューは、関心領域３４０に関係付けられたメディアファイルを表示している。詳細なトポグラフィックビューでは、メディアファイルはアイコン４２０で表されている。アイコンは、メディアファイルの一部分のサムネイルイメージの様なメディアファイルのコンテンツのプレビューを含んでいてもよいし、メディアファイルの何らかの別の特性表示を含んでいてもよい。この様に、本例では、詳細なトポグラフィックビューは、関心領域内のメディアファイルの正確な個数と、各メディアファイル毎のアイコンを提供する。図示の実施形態では、実線のアイコン４２０Ｂは線グラフ３２０Ｂで表されたものと同一のメディアファイル種類を表しており、点線のアイコン４２０Ｃは線グラフ３２０Ｃで表されたものと同一のメディアファイル種類を表している。一例として、線グラフ３２０Ｂと３２０Ｃは、詳細なトポグラフィックビュー内で、引き伸ばし、ズームインされた詳細として示されている。
【００５１】
詳細なトポグラフィックビュー４００のアイコン４２０は、メディアダイアリー・アプリケーションのユーザーに、メディアファイルのコンテンツへのアクセスを提供する。通常、ユーザーはマウス式入力又はキーストロークによりメディアファイルをアクティブにして、メディアファイル全体を表示させる。
【００５２】
図６は、本発明のある実施形態による、ここではレンズと呼んでいる幾何学的識別子５００を組み込んだトポグラフィックビューの図を示しており、このレンズは検索結果を含むメディアファイルを含んでいるビューを有する領域を指定している。メディアダイアリーのメディアファイルは、ファイルに関係付けられたメタデータ情報を有している。この情報は、通常、メディアファイルの作成時に自動的に、又は手動で作成される。更に、メディアダイアリー・アプリケーションがメディアファイルを受け取ると、メタデータ情報は、カレンダーイベント情報に相関づけられ、又はそこからインポートされる。先に論じたように、メディアダイアリー・アプリケーションは、カレンダーアプリケーションを実装していてもよいし、或いはカレンダーアプリケーションは、メディアダイアリー・アプリケーションに関係付けられた補助的アプリケーションであってもよい。メディアファイルに関係付けられているメタデータ情報は、ユーザーが従来のキーワード検索技法、ブール演算子、メタデータ情報特性のフィルタリングを介して、又は視認スクローリング手段によって検索することができる検索可能データである。
【００５３】
図６に示す実施形態では、検索されたメディアファイルを見つけ出せる領域の幾何学的識別子であるレンズ５００が示されている。この様に、レンズは、ユーザーが特定のファイル又は特定のファイルの種類を求めてメタデータ検索を実施するときに現れる。レンズは、通常、ユーザーがレンズの除去を指示するまで、検索結果を示すためアクティブ状態に保たれる。異なるレンズの種類は、異なる検索の結果を表示する。例えば、図示の実施形態では、楕円形の暗い影の付いたレンズ５００Ａは、第１検索の結果を表示し、円形の明るい影の付いたレンズ５００Ｂは、第２検索の結果を表示する。レンズのサイズは、通常、検索基準に合致するレンズ領域内のメディアファイルの量を表示する。更に、レンズの影付け又はレンズの幾何学形状は、検索基準に合致するレンズ領域内のメディアファイルの量を表示することになる。
【００５４】
レンズの使用に加えて、トポグラフィックビューは、関心のある特定の期間、代表的には、関係付けられたメディアファイルにアクセスするために頻繁にユーザーが訪れる期間を強調表示する目的で、トポグラフィックビュー内の特定の領域をカラーコーディング又はシェーディングすることを含んでいてもよい。関心の期間のカラーコーディング及びシェーディングは、ユーザーが、好みに基づいて定義することができる。例えば、ユーザーは、子どもの誕生期間に対応する期間を強調表示したいかもしれない。その際、ユーザーは、特定のメディアファイルを見つけ出そうとするとき、当該領域を容易に識別する目的で、ブルー又はピンクとして当該領域を強調表示することもできる。
【００５５】
更に、強調表示された領域は、永久で、必要な時いつでもユーザーはトポグラフィックビューに呼び出すことができる。強調表示された領域に関係するメタデータ情報は、システム内に記憶され、しおり又は注釈リストとして表示され掲示される。
【００５６】
本発明の更に別の実施形態は、本発明の或る実施形態による、メディアダイアリーを実装するデジタル装置により定義される。図７は、メディアダイアリーとトポグラフィックビュー表示を実装したデジタル装置６００のブロック図を示している。先に指摘したように、このデジタル装置は、代表的には、例えば移動電話、ＰＤＡ、ラップトップコンピュータ等を含む移動端末の様な他のデジタル装置とデジタル通信することのできるデジタル装置である。しかしながら、デジタル装置は、デジタルカメラ、デジタルビデオレコーダ、デジタルオーディオレコーダ等の様な本発明のメディアダイアリーを表示することのできる何らかの他の装置であってもよい。
【００５７】
デジタル装置６００は、プロセッサ、特定用途向け集積回路、アナログ及び／又はデジタル回路、又はメディアファイルにアクセスするためのコンピュータ読取可能プログラムのインストラクションを実行する何らかの他の類似装置の様な処理ユニット６１０を含んでいる。ここで、プログラムのインストラクションとメディアファイルは、一般的にはメモリ装置６２０に記憶される。コンピュータ読取可能プログラムのインストラクションは、メディアダイアリービューに表示され、期間を時間単位に区分けするタイムバーを生成するための第１インストラクション６３０と、タイムバーに表示される時間単位に関連付けてメディアファイル量をグラフィック表示するトポグラフィックビューを生成するための第２インストラクション６４０を含んでいる。第２インストラクションは、選択されたメディアファイル特性に基づいてメディアファイルを区別するトポグラフィックビューを生成することにも備えている。更に、デジタル装置は、処理ユニットと通信しており、トポグラフィックビューに付帯するタイムバーの表示機構を提供する表示装置６５０を含んでいるか、又はこれと外部的に通信している。
【００５８】
本発明は、更に、メディアダイアリー内のトポグラフィックビューにメディアアイテムを表示するための方法でも具現化される。図８は、本発明のある実施形態による、そのような方法のフローチャートである。ステップ７００で、時間長と時間長内の時間単位が定義される。これらは、メディアダイアリー構成で、又はメディアダイアリーユーザー選択で定義される。ステップ７１０では、メディアダイアリーが、定義された時間単位に関係付けられたダイアリー内のメディアファイルの量に関して判定を行う。ステップ７２０では、タイムバーの時間単位に関係付けられたメディアダイアリー・アプリケーション内のメディアファイルの量をグラフィック表示するトポグラフィックビューが表示される。
【００５９】
代わりの実施形態では、本方法は、メディアファイル特性を定義する段階と、メディアファイル特性を含んでいるメディアファイルの量を判定する段階と、定義された時間単位に関係付けられた特性を有するメディアファイルの量を判定する段階と、タイムバーの時間単位に関係付けられたメディアファイルの量を、ファイル特性によって、トポグラフィックビューにグラフィック表示する段階を含んでいる。その際、メディアファイルは、時間単位で関係付けられた量として表示されるだけでなく、メディアファイルの種類等の様なメディアファイル特性に基づいて更に区別される。
【００６０】
更に別の方法は、メディアダイアリーのトポグラフィックビューのズーム機能を提供することに関して定義されている。図９は、本発明の或る実施形態による、そのような方法のフローチャートを提供している。ステップ８００では、第１のトポグラフィックビュー内のグラフィック表示の或る部分で選択が行われ、随意的なステップ８１０では、ズームスケールの選択が行われる。ズーム部分の選択とズームスケールの選択は、通常はメディアダイアリーのユーザーが行うが、ダイアリー自体がズーム部分とズームスケールを選択するように構成することもできる。更に、ステップ８００と８１０の順序を入れ替えてもよく、その場合も全体的なズーム機能には影響が及ばない。ステップ８２０では、グラフィック表示の選択された部分が、通常はマウス式入力装置又はキーパッドとのユーザー対話でアクティブにされる。ステップ８３０では、第１のトポグラフィックビューのグラフィック表示の選択された部分を更に詳細に表す、詳細な第２のトポグラフィックビューが表示される。詳細な第２のトポグラフィックビューは、第１のトポグラフィックビューの選択された部分に関係付けられたメディアファイルの詳細な表示を提供し、詳細な表示はアクティブにされるとメディアファイルへのアクセスを提供する。また、ステップ８００と８３０は同時に実行することもでき、即ち、カーソル移動時、又はトポグラフィックビューの領域のズームイン時に、カーソルの下のメディアファイルのアイコン又はズーム領域を別のビューに動的に表示してもよい。
【００６１】
本発明の別の実施形態は、メディアダイアリーのトポグラフィックビュー内のメディアファイルを検索する方法で定義される。図１０は、本発明の或る実施形態によるそのような方法のフローチャートである。ステップ９００では、時間長と時間単位を、時間単位に関係付けることでメディアダイアリー内のメディアファイルをグラフィック表示する第１のトポグラフィックビューと共に定義する、メディアビューが提供される。ステップ９１０で、メディアファイルメタデータの少なくとも１つの項目を含んでいる検索問い合わせが定義される。ステップ９２０では、検索結果が、トポグラフィックビュー内の幾何学的識別子の形態上に、検索されたメディアファイルメタデータを有するメディアファイルを含んでいるトポグラフィックビューの領域に重ねて提供される。随意的なステップ９３０では、幾何学的識別子は、アクティブにされ、検索されたメディアファイルメタデータを有する１つ又はそれ以上のメディアファイルに対するアクセスを提供する。
【００６２】
本発明の上に説明した実施形態は、特定の期間に関係付けられたメディアファイルの量のトポグラフィック表示又はビューを提供するメディアダイアリー・アプリケーションを提供している。更に、トポグラフィックビューは、選択されたメディアファイル特性に基づいて、各メディアファイルを区別する能力を提供する。トポグラフィック表示では、メディアファイルの量はグラフィック表示され、通常は線グラフ又は棒グラフ表示で表される。この様に、メディアダイアリー・アプリケーションのトポグラフィックビューは、ダイアリーのユーザーに、メディアファイルを見つけ出し、時間長に関連付けたメディアファイルの量を評価するための効率的な手段を提供する。
【００６３】
ここに記載した発明が属する分野の当業者にあっては、これまでの説明及び関係図面に提示された教示を有効に活かし、これら発明に関する多くの変更及び他の実施形態が考案されるであろう。従って、本発明はここに開示した特定の実施形態に限定されるのではなく、変更及び他の実施形態も特許請求の範囲に記載する内容に含まれることを意図している旨理解頂きたい。ここでは特定の用語を採用しているが、それら用語は限定を目的としているのではなく、総称的及び説明的意味で使用している。
【図面の簡単な説明】
【００６４】
【図１】メディアダイアリーにより表示されたメディアビュー又はメディアウインドウの挿絵である。
【図２】本発明の或る実施形態による、６ヶ月タイムバーに関係するメディアダイアリーのトポグラフィックビューの図である。
【図３】本発明の或る実施形態による、１ヶ月タイムバーに関係するメディアダイアリーのトポグラフィックビューの図である。
【図４】本発明の或る実施形態による、日付線を含むトポグラフィックビューの図である。
【図５】本発明の或る実施形態による、ズーム機構を組み込んだメディアダイアリーのトポグラフィックビューの図である。
【図６】本発明の或る実施形態による、検索結果が存在する領域を識別するためのレンズを組み込んだメディアダイアリーのトポグラフィックビューの図である。
【図７】本発明の或る実施形態による、トポグラフィックビューを組み込んだメディアダイアリーを実施するデジタル装置のブロック図である。
【図８】本発明の或る実施形態による、メディアダイアリー・アプリケーションのトポグラフィックビューのメディアファイルを表示するための方法のフローチャートである。
【図９】本発明の或る実施形態による、メディアダイアリー・アプリケーションのトポグラフィックビューのズーム機能を実行するための方法のフローチャートである。
【図１０】本発明の或る実施形態による、メディアダイアリー・アプリケーションのトポグラフィックビュー内で検索を実行するための方法のフローチャートである。
【符号の説明】
【００６５】
１００：メディアビュー
１１０：期間列
１２０：メディアファイル表示
２００：タイムハンドル
３００：トポグラフィックビュー
３１０：時間単位
３２０：線グラフ
３４０：関心領域
４００：詳細なトポグラフィックビュー
４１０：タイムバー
４２０：アイコン
５００：レンズ
６００：デジタル装置
６１０：処理ユニット
６２０：メモリ装置
６３０：第１インストラクション
６４０：第２インストラクション
６５０：表示装置
【図１】
2005149520.tif 000003
【図２】
2005149520.tif 000004
【図３】
2005149520.tif 000005
【図４】
2005149520.tif 000006
【図５】
2005149520.tif 000007
【図６】
2005149520.tif 000008
【図７】
2005149520.tif 000009
【図８】
2005149520.tif 000010
【図９】
2005149520.tif 000011
【図１０】
2005149520.tif 000012
【外国語明細書】
2005149520.tif 000013
2005149520.tif 000014
2005149520.tif 000015
2005149520.tif 000016
2005149520.tif 000017
2005149520.tif 000018
2005149520.tif 000019
2005149520.tif 000020
2005149520.tif 000021
2005149520.tif 000022
2005149520.tif 000023
2005149520.tif 000024
2005149520.tif 000025
2005149520.tif 000026
2005149520.tif 000027
2005149520.tif 000028
2005149520.tif 000029
2005149520.tif 000030
2005149520.tif 000031
2005149520.tif 000032
2005149520.tif 000033
2005149520.tif 000034
2005149520.tif 000035
2005149520.tif 000036
2005149520.tif 000037
2005149520.tif 000038
2005149520.tif 000039
2005149520.tif 000040
2005149520.tif 000041
2005149520.tif 000042
2005149520.tif 000043
2005149520.tif 000044
2005149520.tif 000045
2005149520.tif 000046
2005149520.tif 000047
2005149520.tif 000048
2005149520.tif 000049